【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
強度が時間的に変化する光を被写体に放射する少なくとも１つの照明装置と、
前記被写体からの光を検出する少なくとも１つの撮像装置と、
を備え、
前記少なくとも１つの撮像装置は、
それぞれが感度を変更可能な少なくとも１つの撮像セルと、
前記少なくとも１つの撮像セルに電気的に接続された少なくとも１つの感度制御線と、
を有し、
前記少なくとも１つの撮像セルは、
前記被写体からの光を受けて信号電荷を生成する光電変換部と、
前記信号電荷を検出する信号検出回路と、
を有し、
前記少なくとも１つの感度制御線は、前記少なくとも１つの撮像セルのリセットから、露光によって前記少なくとも１つの撮像セルに蓄積される前記信号電荷の読み出しまでの露光期間において、感度制御信号を前記少なくとも１つの撮像セルに供給する、撮像システム。
【請求項２】
前記少なくとも１つの照明装置は、前記光の強度を周期的に変化させる、請求項１に記載の撮像システム。
【請求項３】
前記少なくとも１つの撮像装置は、前記感度制御信号を前記光の強度の時間的変化に同期させる同期化回路を有する、請求項１または２に記載の撮像システム。
【請求項４】
前記少なくとも１つの照明装置および前記少なくとも１つの撮像装置は、
第１照明装置および第１撮像装置の組と、第２照明装置および第２撮像装置の組と、
を含み、
前記第１撮像装置における前記感度制御信号の波形は、第１関数によって表される波形を有し、
前記第２撮像装置における前記感度制御信号の波形は、前記第１関数とは異なる第２関数によって表される波形を有する、請求項１から３のいずれかに記載の撮像システム。
【請求項５】
前記感度制御信号の波形は、三角関数で表される波形である、請求項１から４のいずれかに記載の撮像システム。
【請求項６】
前記感度制御信号の波形は、定数関数ではないウォルシュ関数で表される波形である、請求項１から４のいずれかに記載の撮像システム。
【請求項７】
前記少なくとも１つの感度制御線は、
前記露光期間において、第１感度制御信号を前記少なくとも１つの撮像セルに供給し、
前記露光期間よりも後の第２の露光期間において、前記第１感度制御信号の波形を時間的にシフトさせた波形を有する第２感度制御信号を前記少なくとも１つの撮像セルに供給する、請求項１から６のいずれかに記載の撮像システム。
【請求項８】
前記少なくとも１つの感度制御線は、
前記露光期間において、第１感度制御信号を前記少なくとも１つの撮像セルに供給し、
前記露光期間よりも後の第２の露光期間において、定数関数によって表される波形を有する第２感度制御信号を前記少なくとも１つの撮像セルに供給する、請求項１から６のいずれかに記載の撮像システム。
【請求項９】
前記少なくとも１つの撮像セルは、第１撮像セルおよび第２撮像セルを含み、
前記少なくとも１つの感度制御線は、前記第１撮像セルに電気的に接続された第１感度制御線および前記第２撮像セルに電気的に接続された第２感度制御線を含み、
前記第１感度制御線は、前記露光期間において、第１感度制御信号を前記第１撮像セルに供給し、
前記第２感度制御線は、前記露光期間において、前記第１感度制御信号の波形を時間的にシフトさせた波形を有する第２感度制御信号を前記第２撮像セルに供給する、請求項１から６のいずれかに記載の撮像システム。
【請求項１０】
前記少なくとも１つの撮像セルは、第１撮像セルおよび第２撮像セルを含み、
前記少なくとも１つの感度制御線は、前記第１撮像セルに電気的に接続された第１感度制御線および前記第２撮像セルに電気的に接続された第２感度制御線を含み、
前記第１感度制御線は、前記露光期間において、第１感度制御信号を前記第１撮像セルに供給し、
前記第２感度制御線は、前記露光期間において、定数関数によって表される波形を有する第２感度制御信号を前記第２撮像セルに供給する、請求項１から６のいずれかに記載の撮像システム。
【請求項１１】
前記感度制御信号は、直交系をなす関数系の基底のうちの１つに定数を加えた、正の値をとる関数によって表される波形を有し、
前記直交系は、完全直交系である、請求項１から１０のいずれかに記載の撮像システム。
【請求項１２】
それぞれが感度を変更可能な少なくとも１つの撮像セルと、
前記少なくとも１つの撮像セルに電気的に接続された少なくとも１つの感度制御線と、を備え、
前記少なくとも１つの撮像セルは、
光の入射によって信号電荷を生成する光電変換部と、
前記信号電荷を検出する信号検出回路と、
を有し、
前記少なくとも１つの感度制御線は、前記少なくとも１つの撮像セルのリセットから、露光によって前記少なくとも１つの撮像セルに蓄積される前記信号電荷の読み出しまでの露光期間において、感度制御信号を前記少なくとも１つの撮像セルに供給する、撮像装置。
【請求項１３】
前記信号検出回路は、前記少なくとも１つの感度制御線に接続された増幅器を有し、
前記増幅器の前記露光期間における増幅率は、前記正の値をとる関数によって表される変化を示す、請求項１２に記載の撮像装置。
【請求項１４】
前記信号検出回路は、
信号検出トランジスタと、
前記信号検出トランジスタの入力に接続された電荷蓄積領域と、
電荷排出領域と、
前記光電変換部と前記電荷蓄積領域および前記電荷排出領域との間に接続された切り替え回路であって、前記少なくとも１つの感度制御線に接続された切り替え回路と、
を有し、
前記切り替え回路は、前記感度制御信号に基づいて、前記露光期間の一部において前記光電変換部を前記電荷蓄積領域に接続し、前記露光期間の残余の期間において前記光電変換部を前記電荷排出領域に接続する、請求項１２に記載の撮像装置。
【請求項１５】
前記光電変換部は、前記少なくとも１つの感度制御信号線に接続された電極を有するアバランシェフォトダイオードを含む、請求項１２に記載の撮像装置。
【請求項１６】
前記光電変換部は、
第１電極と、
前記少なくとも１つの感度制御線に接続された、透光性の第２電極と、
前記第１電極および前記第２電極の間に配置された光電変換層と、
を有する、請求項１２から１４のいずれかに記載の撮像装置。
【請求項１７】
前記少なくとも１つの撮像セルは、複数の撮像セルである、請求項１２から１６のいずれかに記載の撮像装置。
【請求項１８】
前記少なくとも１つの感度制御線は、前記複数の撮像セルに共通の前記感度制御信号を供給する、請求項１７に記載の撮像装置。
【請求項１９】
輝度が時間的に変化する被写体に、１以上の撮像セルを有する撮像装置の撮像面を向ける工程（ａ）と、
前記１以上の撮像セルのリセット後、前記１以上の撮像セルのうちの少なくとも一部の撮像セルにおける第１感度を変化させながら露光を実行する工程（ｂ）と、
を含み、
前記工程（ｂ）において、前記第１感度の変化を表す波形は、第１関数によって表される形状を有する、光検出方法。
【請求項２０】
前記工程（ａ）は、
強度が時間的に変化する光で前記被写体を照射する工程（ａ１）
を含む、請求項１９に記載の光検出方法。
【請求項２１】
前記工程（ｂ）は、
前記第１感度の変化を前記光の時間的な強度の変化に同期させる工程（ｂ１）
を含む、請求項２０に記載の光検出方法。
【請求項２２】
前記１以上の撮像セルのリセット後、前記１以上の撮像セルのうちの他の一部の撮像セルにおける第２感度を変化させながら露光を実行する工程（ｃ）
をさらに含み、
前記第１関数は、周期関数であり、
前記第２感度の変化を示す波形は、前記第１感度の変化を表す波形に対して位相および／または周期が異なる、請求項１９から２１のいずれかに記載の光検出方法。
【請求項２３】
前記１以上の撮像セルのリセット後、前記１以上の撮像セルのうちの他の一部の撮像セルにおける第２感度を固定して露光を実行する工程（ｃ）
をさらに含む、請求項１９から２１のいずれかに記載の光検出方法。
【請求項２４】
前記工程（ｃ）は、前記工程（ｂ）の後に実行される、請求項２２または２３に記載の光検出方法。
【請求項２５】
前記工程（ｂ）および前記工程（ｃ）は、同時に実行される、請求項２２または２３に記載の光検出方法。
【請求項２６】
前記工程（ｂ）において取得される画像信号と、前記工程（ｃ）において取得される画像信号との間の差分に基づいて画像を形成する工程（ｄ）をさらに含む、請求項２２から２５のいずれかに記載の光検出方法。